(57)【特許請求の範囲】
【請求項１】
１シンボルごとに有効シンボル期間とガード期間とを有し、かつこれらの有効シンボル期間及びガード期間の少なくとも一方が異なる複数のシンボル長モードを有するＯＦＤＭ信号を受信し、この受信されたＯＦＤＭ信号に含まれる前記ガード期間の位置をもとにシンボル同期タイミングを検出するＯＦＤＭ受信装置において、
前記受信されたＯＦＤＭ信号のガード期間の相関を検出する相関検出手段と、
この相関検出手段の相関出力の移動平均値を検出する移動平均手段と、
この移動平均手段の出力のシンボル平均を求めるシンボル平均手段と、
このシンボル平均手段の出力をもとにシンボル同期タイミングを検出する同期検出手段と、
前記相関検出手段の前段位置から前記シンボル平均手段の前段位置までの間の任意の位置に設けられ、入力信号を間引いて出力する信号間引き手段と、
前記受信されたＯＦＤＭ信号のシンボル長モードを検出するモード検出手段と、
このモード検出手段により検出されたシンボル長モードに応じて、前記信号間引き手段の間引き率を制御する間引き率制御手段と
を具備したことを特徴とするＯＦＤＭ受信装置。
【請求項２】
前記間引き率制御手段は、有効シンボル期間長及びガード期間長の少なくとも一方に対して反比例の関係を有する間引き率を前記信号間引き手段に設定することを特徴とする請求項１記載のＯＦＤＭ受信装置。
【請求項３】
前記間引き率制御手段は、所定の有効シンボル期間長以下の有効シンボル期間長又は所定のガード期間長以下のガード期間長に対しては間引きを行わせず、前記所定の有効シンボル期間長を超える有効シンボル期間長又は前記所定のガード期間長を超えるガード期間長に対し反比例の関係を有する間引き率を設定することを特徴とする請求項１記載のＯＦＤＭ受信装置。
【請求項４】
１シンボルごとに有効シンボル期間とガード期間とを有し、かつこれらの有効シンボル期間及びガード期間の少なくとも一方が異なる複数のシンボル長モードを有するＯＦＤＭ信号を受信するチューナ部と、
前記チューナ部により受信されたＯＦＤＭ信号に含まれる前記ガード期間の位置をもとにシンボル同期タイミングを検出するシンボル同期検出部と
を具備し、
前記シンボル同期検出部は、
前記チューナ部により受信されたＯＦＤＭ信号のガード期間の相関を検出する相関検出手段と、
この相関検出手段の相関出力の移動平均値を検出する移動平均手段と、
この移動平均手段の出力のシンボル平均を求めるシンボル平均手段と、
このシンボル平均手段の出力をもとにシンボル同期タイミングを検出する同期検出手段と、
前記相関検出手段の前段位置から前記シンボル平均手段の前段位置までの間の任意の位置に設けられ、入力信号を間引いて出力する信号間引き手段と、
前記受信されたＯＦＤＭ信号のシンボル長モードを検出するモード検出手段と、
このモード検出手段により検出されたシンボル長モードに応じて、前記信号間引き手段の間引き率を制御する間引き率制御手段と
を備えたことを特徴とするＯＦＤＭ受信装置。
【発明の詳細な説明】
【０００１】
【発明の属する技術分野】
本発明は、直交周波数分割多重（ＯＦＤＭ：Orthogonal Frequency Division Multiplex）変調方式を採用した伝送システムで使用されるＯＦＤＭ受信装置に関する。
【０００２】
【従来の技術】
近年、音声信号及び映像信号の伝送においてディジタル変調方式の開発が盛んである。特に、地上ディジタル放送においては、マルチパス妨害に強く、周波数利用効率の高いＯＦＤＭ変調方式が注目されている。
【０００３】
ＯＦＤＭ変調方式においては、マルチパス妨害による符号間干渉を防ぐために、有効シンボル期間の前にガード期間を付加する。図１１にＯＦＤＭの１シンボル波形を示す。ガード期間には、有効シンボルの後端部の信号が巡回的に複写される。
【０００４】
ところで、ＯＦＤＭ受信装置では、上記ガード期間の相関を利用してシンボル同期タイミングの検出を行い、このシンボル同期タイミングを基準にＦＦＴウィンドウタイミング及び復調回路のタイミング信号を発生している。
【０００５】
すなわち、直交検波により得られたＯＦＤＭ受信ベースバンド信号は先ず相関演算回路に入力され、ここでこの受信ベースバンド信号をその有効シンボル長分遅延させた信号との相関が検出される。そして、その相関出力は移動平均回路に入力され、ここでこの相関出力をガード期間分遅延した信号との減算が行われ、さらにその出力を積分することで移動平均が求められる。また、この移動平均回路の出力は、ノイズの影響を低減するためにシンボル平均回路に入力され、この回路においてシンボル周期で規定回数平均される。そして、このシンボル平均回路の出力の振幅波形が振幅検出回路で求められ、そのピーク値の検出タイミングをもとに、同期検出回路でシンボル同期が検出される。
【０００６】
【発明が解決しようとする課題】
ところがこのような装置は、相関演算回路において受信ベースバンド信号を有効シンボル期間分遅延させる遅延回路が必要であり、また移動平均回路においては相関出力をガード期間長遅延させる遅延回路が必要である。さらにシンボル平均回路では移動平均出力を１シンボル長遅延させる遅延回路が必要である。これらの遅延回路はいずれもメモリにより実現される。このため、装置のシンボル同期検出回路には大容量のメモリが必要となる。
【０００７】
ここで、現在提案されているシステムの伝送モードでは、有効シンボル期間としては２０４８、４０９６、８１９２サンプルが考えられ、またガード期間も有効シンボル期間の１／４、１／８、１／１６、１／３２が考えられている。これらの伝送モードを受信可能な受信装置を考えると、シンボル長の最も長いモードを受信したときに使用する遅延回路（メモリ）が必要となるため、メモリは大容量となる。これは、ＯＦＤＭ受信装置の廉価化のためにＬＳＩ化を考慮した場合に、重要な問題となる。
【０００８】
この本発明は上記事情に着目してなされたもので、その目的とするところは、カード期間の相関を利用したシンボル同期検出のために使用するメモリの容量を削減し、ＬＳＩ化の実現を容易にしたＯＦＤＭ受信装置を提供することにある。
【０００９】
【課題を解決するための手段】
上記目的を達成するためにこの発明は、１シンボルごとに有効シンボル期間とガード期間とを有し、かつこれらの有効シンボル期間及びガード期間の少なくとも一方が異なる複数のシンボル長モードを有するＯＦＤＭ信号を受信し、この受信されたＯＦＤＭ信号に含まれる前記ガード期間の位置をもとにシンボル同期タイミングを検出するＯＦＤＭ受信装置において、上記受信されたＯＦＤＭ信号のガード期間の相関を検出する相関検出手段と、この相関検出手段の相関出力の移動平均値を検出する移動平均手段と、この移動平均手段の出力のシンボル平均を求めるシンボル平均手段と、このシンボル平均手段の出力をもとにシンボル同期タイミングを検出する同期検出手段と、上記相関検出手段の前段位置から上記シンボル平均手段の前段位置までの間の任意の位置に設けられ、入力信号を間引いて出力する信号間引き手段とを備え、さらに上記受信されたＯＦＤＭ信号のシンボル長モードを検出するモード検出手段と、このモード検出手段により検出されたシンボル長モードに応じて、上記信号間引き手段の間引き率を制御する間引き率制御手段を備えるように構成したものである。
【００１０】
このように構成することで、信号間引き手段の後段に位置する手段に供給される信号のデータ量は削減され、これにより後段の手段が信号処理に使用するメモリの小容量化が可能となる。
また、例えばチャネルが切り替えに伴い受信ＯＦＤＭ信号のシンボル長モードが変更された場合に、この受信ＯＦＤＭ信号のシンボル長モードが検出され、この検出モードに応じて信号の間引き率が可変設定される。したがって、ＯＦＤＭ信号のシンボル長モードが如何なるモードの場合でも、それに応じた最適な間引き処理を行うことが可能となり、これによりＳ／Ｎを良好に保ちつつ、信号のデータ量を効果的に削減してメモリ容量の低減を図ることができる。
【００１３】
【発明の実施の形態】
（第１の実施形態）
図１は、この発明に係わるＯＦＤＭ受信装置の第１の実施形態を示す回路ブロック図である。
【００１４】
図示しないアンテナで受信されたＯＦＤＭ変調信号は、チューナ１０１で選局されて中間周波（ＩＦ）信号に周波数変換されたのち、アナログ／ディジタル変換回路（Ａ／Ｄ）１０２でディジタル信号に変換される。Ａ／Ｄ変換回路１０２の出力は、直交検波回路１０３においてベースバンドの同相成分（Ｉ信号）と直交成分（Ｑ信号）に変換される。これらの信号は、高速フーリエ変換回路（ＦＦＴ）１０４でそれぞれＦＦＴ演算されることで周波数軸上のデータに変換され、しかるのち復調回路１０５でそれぞれ復調信号処理をされて復調デー夕として出力される。
【００１５】
また、直交検波回路１０３から出力された受信ベースバンド信号は、ガード期間の相関を利用したシンボル同期検出にも利用される。
【００１６】
すなわち、直交検波回路１０３から出力された受信ベースバンド信号は、先ず相関検出回路１０６に入力される。相関検出回路１０６は、受信ベースバンド信号のガード期間の相関値を検出するもので、例えば図２に示すように構成される。すなわち相関演算回路１０６は、遅延回路２０１と、複素共役回路２０２と、複素乗算回路２０３とから構成され、上記受信ベースバンド信号を遅延回路２０１で有効シンボル期間のサンプル分遅延させたのち、その出力の複素共役を複素共役回路２０２で算出する。そして、この複素共役演算後の遅延ベースバンド信号と、上記相関検出回路１０６から出力された受信ベースバンド信号とを複素乗算回路２０３で複素乗算し、これによりその相関値を出力する。
【００１７】
この相関検出回路１０６の相関出力は、後述する間引き回路１０７を介して移動平均回路１０８に入力される。移動平均回路１０８は、上記相関値の移動平均を算出するもので、例えば図３に示すように構成される。すなわち、移動平均回路１０８は遅延回路３０１と、減算回路３０２と、積分回路３０３とから構成され、上記間引き回路１０７ａから出力された相関出力を遅延回路３０１でガード期間サンプル分遅延し、減算回路３０２で上記間引き回路１０７ａの相関出力から上記ガード期間分遅延した相関出力を減算する。そして、その減算出力を積分回路３０３で積分することで移動平均値を得る。
【００１８】
この移動平均回路１０８の移動平均出力は、続いてシンボル平均回路１０９に入力される。シンボル平均回路１０９は、ノイズの影響を低減するために上記移動平均出力をシンボル周期で規定回数平均するもので、例えば図４に示すように構成される。すなわち、シンボル平均回路１０９は、加算回路４０１と遅延回路４０２とから構成され、上記移動平均出力と、この移動平均出力を遅延回路４０２で１シンボル期間のサンプル分遅延した出力とを加算器４０１で加算することで、シンボル周期で平均した値を得る。
【００１９】
このシンボル平均回路１０９の出力は振幅検出回路１１０に入力され、この振幅検出回路１１０で振幅波形に変換されたのちその最大振幅値が検出される。そして、この最大振幅値の検出タイミングが同期検出回路１１１に入力され、同期検出回路１１１はこの最大振幅値の検出タイミングをもとにシンボル同期タイミングを検出する。タイミング発生回路１１２は、上記シンボル同期タイミングに同期して、上記ＦＦＴ回路１０４におけるＦＦＴ演算のためのＦＦＴウィンドウタイミング発生すると共に、復調回路１０５の復調処理に必要なタイミング信号を発生する。
【００２０】
ところで、本実施形態のＯＦＤＭ受信装置は、上記相関検出回路１０６と移動平均回路１０８との間に間引き回路１０７ａを設け、さらにモード検出回路１１３と間引き制御回路１１４ａとを備えている。
【００２１】
間引き回路１０７ａは、相関検出回路１０６から出力された相関出力を所定の間引き率で間引いて出力するもので、例えば図５に示すように構成される。すなわち、相関出力は加算器５０１及びラッチ回路５０２により区間積分され、しかるのちラッチ回路５０３でラッチされて出力される。このラッチ回路５０３のラッチクロックは分周クロック生成回路５０４から与えられる。分周クロック生成回路５０４はプログラマブル分周器からなり、後述する間引き制御回路１１４ａから分周比として与えられる間引き率に応じた周期のラッチクロックを発生する。
【００２２】
モード検出回路１１３は、上記振幅検出回路１１０の振幅出力から伝送シンボル長モードを表す情報を抽出し、この抽出した伝送シンボル長モード情報を間引き制御回路１１４ａに与える。間引き制御回路１１４ａには、伝送シンボル長モードに応じた有効シンボル長及びガード長と、信号の間引き率との対応関係を表すテーブルが予め記憶してある。
【００２３】
図６（ａ），（ｂ）はそのテーブルの構成の一例を示すもので、（ａ）は有効シンボル長２０４８，４０９６，８１９２の各サンプルに対応付けて信号間引き率をそれぞれ１／４，１／８，１／１６に設定したもので、また（ｂ）は有効シンボル長２０４８サンプルにおけるガード長６４，１２８，２５６，５１２の各サンプルに対応付けて信号間引き率をそれぞれ、なし（１／１），１／２，４／１，１／８に設定したものである。
【００２４】
すなわち、信号間引き率は、有効シンボル長及びガード長に対して反比例の関係となるように設定してある。移動平均回路１０８の移動平均出力のＳ／Ｎはガード期間のサンプル数で決まる。このため、上記したように間引き率を有効シンボル期間及びガード期間に反比例するように設定することで、移動平均回路１０８の移動平均出力のＳ／Ｎを一定に保つことが可能となる。
【００２５】
そして、間引き制御回路１１４ａは、上記モード検出回路１１３から与えられた伝送シンボル長モードを表す情報をキーとして上記テーブルをアクセスし、これにより現在受信中のＯＦＤＭ信号の有効シンボル長及びガード長に応じた信号間引き率を読み出す。そして、この信号間引き率を上記間引き回路１０７ａに与えて間引き処理を行わせる。
【００２６】
このような構成であるから、任意のチャネルにおけるＯＦＤＭ変調信号の受信を開始すると、モード検出回路１１３において上記ＯＦＤＭ変調信号に重畳されて伝送される伝送シンボル長モードが検出され、この検出モードが間引き制御回路１１４ａに通知される。間引き制御回路１１４ａは、上記伝送シンボル長モードの有効シンボル長及びガード長に応じた信号間引き率をテーブルから読み出し、この信号間引き率に応じた分周比を間引き回路１０７ａに与える。
【００２７】
したがって、以後相関検出回路１０６から出力された相関出力は、間引き回路１０７ａにおいて、受信中のＯＦＤＭ変調信号の有効シンボル長及びガード長に応じた信号間引き率で信号が間引かれたのち、移動平均回路１０８に供給される。このため、移動平均回路１０８では上記間引き処理後のデータ量が削減された相関出力について移動平均処理がなされ、またシンボル平均回路１０９でも上記間引き処理によりデータ量が削減された移動平均出力についてシンボル平均処理が行われる。このため、移動平均回路１０８の遅延回路３０１として用いられるメモリ、及びシンボル平均回路１０９の遅延回路４０２として使用されるメモリの容量はそれぞれ削減され、この結果回路規模を縮小することができる。
【００２８】
しかも、上記信号間引き率は、受信ＯＦＤＭ変調信号の伝送シンボル長モードに応じて常に最適な値となるように、間引き制御回路１１４ａにより可変設定される。このため、間引き後の相関出力のＳ／Ｎは、伝送シンボル長モードによらず一定に保たれる。
【００２９】
また間引き回路１０７ａを、一定期間の平均値を検出してその値を間引きする区間積分回路により構成しているため、単にダウンサンプリングを行う間引き回路を用いる場合に比べて、間引き後の相関出力のＳ／Ｎの劣化を抑えることができる。
【００３０】
（第２の実施形態）
図７は、この発明に係わるＯＦＤＭ受信装置の第２の実施形態を示す回路ブロック図である。なお、同図において前記図１と同一部分には同一符号を付して詳しい説明は省略する。
【００３１】
この実施形態では、移動平均回路１０８とシンボル平均回路１０９との間に間引き回路１０７ｂを介挿している。この間引き回路１０７ｂは、間引き制御回路１１４ｂから分周比として与えられた間引き率で、移動平均回路１０８から出力された相関値の移動平均出力を間引き処理するもので、この間引き処理後の移動平均出力をシンボル平均回路１０９に供給する。また、上記間引き制御回路１１４ｂが間引き回路１０７ｂに与える間引き率は、モード検出回路１１３により検出されるＯＦＤＭ変調信号の伝送シンボル長モードに応じて、常にＳ／Ｎが一定に保たれるように制御される。
【００３２】
このような構成であるから、相関検出回路１０６及び移動平均回路１０８ではそれぞれ通常のサンプル数で相関演算処理および移動平均処理が行われるが、シンボル平均回路１０９へは間引き回路１０７ｂで間引き処理がなされた後の相関値の移動平均出力が供給される。このため、シンボル平均回路１０９では、上記間引き回路１０７ｂの間引き処理によりデータ量が削減された移動平均出力についてシンボル平均処理が行われる。このため、シンボル平均回路１０９の遅延回路４０２として用いられるメモリの容量は削減される。このとき、シンボル平均回路１０９の遅延回路４０２は１シンボル長を遅延するものであるため、大容量のメモリが必要であり、このメモリ容量を削減することだけでも回路規模を十分に縮小することができる。
【００３３】
また、前記第１の実施形態と同様に、信号間引き率は受信ＯＦＤＭ変調信号の伝送シンボル長モードに応じて常に最適な値となるように間引き制御回路１１４ｂにより制御される。このため、間引き後の移動平均出力のＳ／Ｎは、伝送シンボル長モードによらず一定に保たれる。
【００３４】
（第３の実施形態）
図８は、この発明に係わるＯＦＤＭ受信装置の第３の実施形態を示す回路ブロック図である。なお、同図において前記図１及び図７と同一部分には同一符号を付して詳しい説明は省略する。
【００３５】
図８において、相関検出回路１０６と移動平均回路１０８との間には間引き回路１０７ａを介挿し、さらにこの移動平均回路１０８とシンボル平均回路１０９との間には間引き回路１０７ｂを介挿してある。間引き回路１０７ａは、間引き制御回路１１４ｃから分周比として与えられた間引き率で、相関検出回路１０６の相関出力を間引き処理するもので、この間引き処理後の相関値を移動平均回路１０８に供給する。また、間引き回路１０７ｂは、間引き制御回路１１４ｃから分周比として与えられた間引き率で、移動平均回路１０８から出力された相関値の移動平均出力を間引き処理するもので、この間引き処理後の移動平均出力をシンボル平均回路１０９に供給する。
【００３６】
さらに、上記間引き制御回路１１４ｃが間引き回路１０７ａ，１０７ｂに与える間引き率は、モード検出回路１１３により検出されるＯＦＤＭ変調信号の伝送シンボル長モードに応じて、移動平均出力のＳ／Ｎが常に一定に保たれるように制御される。
【００３７】
このような構成であるから、移動平均回路１０８へは間引き回路１０７ａで間引き処理がなされた後の相関出力が供給され、またシンボル平均回路１０９へは間引き回路１０７ｂでさらに間引き処理がなされた後の相関値の移動平均出力が供給される。このため、移動平均回路１０８及びシンボル平均回路１０９ではそれぞれ、上記間引き回路１０７ａ，１０７ｂの間引き処理によりデータ量が段階的に削減された相関値及びその移動平均出力について移動平均処理及びシンボル平均処理が行われる。このため、移動平均回路１０８の遅延回路３０１として用いられるメモリと、シンボル平均回路１０９の遅延回路４０２として用いられるメモリの容量はそれぞれ削減され、これにより装置の回路規模を小形化することができる。
【００３８】
また、前記第１及び第２の実施形態と同様に、信号間引き率は受信ＯＦＤＭ変調信号の伝送シンボル長モードに応じて常に最適な値となるように間引き制御回路１１４ｃにより制御される。このため、間引き後の移動平均出力のＳ／Ｎは、伝送シンボル長モードによらず一定に保たれる。
【００３９】
（第４の実施形態）
図９は、この発明に係わるＯＦＤＭ受信装置の第４の実施形態を示す回路ブロック図である。なお、同図において前記図１と同一部分には同一符号を付して詳しい説明は省略する。
【００４０】
図９において、直交検波回路１０３と相関検出回路１０６との間には間引き回路１０７ｃが介挿してある。この間引き回路１０７ｃは、間引き制御回路１１４ａから分周比として与えられた間引き率で、直交検波回路１０３から出力された受信ベースバンド信号を間引き処理するもので、この間引き処理後の受信ベースバンド信号を相関検出回路１０６に供給する。また、上記間引き制御回路１１４ａが間引き回路１０７ｃに与える間引き率は、モード検出回路１１３により検出されるＯＦＤＭ変調信号の伝送シンボル長モードに応じて、常にＳ／Ｎが一定に保たれるように制御される。
【００４１】
このような構成であるから、相関検出回路１０６へは間引き回路１０７ｃで間引き処理がなされた後の受信ベースバンド信号が供給される。このため、相関検出回路１０６、移動平均回路１０８及びシンボル平均回路１０９では、上記間引き回路１０７ｃの間引き処理によりデータ量が削減された信号について、それぞれ相関演算処理、移動平均処理及びシンボル平均処理が行われる。このため、相関検出回路１０６、移動平均回路１０８及びシンボル平均回路１０９の遅延回路２０１，３０１，４０２としてそれぞれ用いられるメモリの容量はいずれも削減される。
【００４２】
すなわち、相関検出回路１０６、移動平均回路１０８及びシンボル平均回路１０９の全てのメモリ容量が削減されることになり、これにより受信装置の回路規模を大幅に縮小することができる。
【００４３】
（その他の実施形態）
前記各実施形態では、間引き回路として区間積分回路を使用した場合を例にとって説明したが、入力信号を単にダウンサンプルする回路を使用することもできる。
【００４４】
また前記各実施形態では、図６（ａ），（ｂ）に示したように、信号間引き率を全ての有効シンボル長及びガード長に対し反比例の関係となるように設定した場合を例にとって説明した。しかし、例えば遅延回路として用いるメモリに汎用のメモリを使用する場合のように、メモリ容量が既に決まっている場合には、データ量がこのメモリ容量よりも大幅に少なくなるように信号間引き率を設定することは無意味である。
【００４５】
そこでこのような場合には、メモリ容量に対応する有効シンボル期間長以下の有効シンボル期間長又は所定のガード期間長以下のガード期間長に対しては間引き率１／１を設定し、上記有効シンボル期間長を超える有効シンボル期間長又は上記所定のガード期間長を超えるガード期間長に対して反比例の関係となるように間引き率を設定する。
【００４６】
図１０（ａ），（ｂ）はその設定例を示すものである。（ａ）に示す例では、メモリ容量に対応する有効シンボル長４０９６サンプル以下の各有効シンボル長、つまり４０９６，２０４８に対しては信号間引き率なし（１／１）を設定し、それ以上の有効シンボル長８１９２サンプルに対してのみ信号間引き率１／２を設定している。また（ｂ）に示す例では、メモリ容量に対応するガード長１２８サンプル以下の各ガード長、つまり１２８，６４に対しては信号間引き率なし（１／１）を設定し、それ以上の各ガード長２５６，５１２サンプルに対してそれぞれ信号間引き率１／２，１／４を設定している。
【００４７】
このように構成すると、既存のメモリ容量を有効に利用して無駄のない効果的な信号間引きを行うことができる。
【００４８】
さらに、前記各実施形態では伝送シンボル長モードに応じて信号間引き率を可変設定する場合を例にとって説明したが、伝送シンボル長モードが固定されている場合には、間引き回路に対し間引き率を固定的に設定しておけばよい。
【００４９】
さらに、前記各実施形態ではシンボル平均回路１０９を備えた装置を例にとって説明したが、シンボル平均回路１０９はノイズの影響を低減するためのものであり、ノイズレベルが十分に低い場合にはシンボル平均回路１０９は不要である。従ってこのような装置では、間引き回路を、図９又は図１に示したように相関検出回路１０６の前段又は移動平均回路１０８の前段に配置する。このようにすることで、相関検出回路１０６及び移動平均回路１０８のメモリ容量を削減できる。
【００５０】
その他、間引き回路の回路構成や、各有効シンボル長及びガード長に対し設定する信号間引き率の値、伝送シンボル長モードに応じた信号間引き率の設定制御手段等についても、この発明の要旨を逸脱しない範囲で種々変形して実施できる。
【００５１】
【発明の効果】
以上詳述したようにこの発明では、シンボル同期検出部を構成する相関検出手段の前段位置から上記シンボル平均手段の前段位置までの間の任意の位置に、入力信号を間引いて出力する信号間引き手段を介在配置し、さらに間引き率制御手段を備える。そして、この間引き率制御手段により、上記受信されたＯＦＤＭ信号のシンボル長モードを検出し、この検出されたシンボル長モードに応じて上記信号間引き手段の間引き率を制御するようにしている。
【００５２】
従ってこの発明によれば、カード期間の相関を利用したシンボル同期検出のために使用するメモリの容量を削減することができ、これによりＬＳＩ化の実現を容易にしたＯＦＤＭ受信装置を提供することができる。
【図面の簡単な説明】
【図１】  この発明に係わるＯＦＤＭ受信装置の第１の実施形態を示す回路ブロック図。
【図２】  図１に示した装置の相関検出回路の構成を示す回路ブロック図。
【図３】  図１に示した装置の移動平均回路の構成を示す回路ブロック図。
【図４】  図１に示した装置のシンボル平均回路の構成を示す回路ブロック図。
【図５】  図１に示した装置の間引き制御回路の構成を示す回路ブロック図。
【図６】  有効シンボル長及びガード長と信号間引き率との関係の一例を示す図。
【図７】  この発明に係わるＯＦＤＭ受信装置の第２の実施形態を示す回路ブロック図。
【図８】  この発明に係わるＯＦＤＭ受信装置の第３の実施形態を示す回路ブロック図。
【図９】  この発明に係わるＯＦＤＭ受信装置の第４の実施形態を示す回路ブロック図。
【図１０】  有効シンボル長及びガード長と信号間引き率との関係の他の例を示す図。
【図１１】  ＯＦＤＭ信号の波形の一例を示す信号波形図。
【符号の説明】
１０６…相関検出回路、１０７ａ，１０７ｂ，１０７ｃ，１０７ｄ…間引き回路、１０８…移動平均回路、１０９…シンボル平均回路、１１３…モード検出回路、１１４ａ，１１４ｂ，１１４ｃ…間引き制御回路、２０１，３０１，４０２…遅延回路、２０２…複素共役回路、２０３…複素乗算回路、３０２…減算回路、３０３…積分回路、４０１…加算回路、５０１…加算器、５０２，５０３…ラッチ回路、５０４…分周クロック生成回路。
【図１】
0004068242.tif 000002
【図２】
0004068242.tif 000003
【図３】
0004068242.tif 000004
【図４】
0004068242.tif 000005
【図５】
0004068242.tif 000006
【図６】
0004068242.tif 000007
【図７】
0004068242.tif 000008
【図８】
0004068242.tif 000009
【図９】
0004068242.tif 000010
【図１０】
0004068242.tif 000011
【図１１】
0004068242.tif 000012